(57)【要約】【課題】  本発明は、従来にない作用効果を発揮する画期的な温風暖房機の制御方法を提供することを目的とする。【解決手段】  燃料を燃焼させるバーナ３と、筐体１内の温度を検知する温度センサ１０と、筐体１内にフィルタ７を介して外気を取り入れる送風機２とを備え、吹出口５から温風を導出する温風暖房機の制御方法であって、前記温度センサ１０により筐体１内の温度を検知し、該検知温度が所定温度Ｓ以上のとき前記バーナ３を停止し、続いて、該バーナ３の停止から所定時間Ｔ経過後の筐体１内の温度を再度温度センサ１０により検知し、該検知温度が所定温度Ｕ（Ｓ＞Ｕ）以下のとき前記フィルタ７が目詰まりしていると判断し、該検知温度が所定温度Ｕ（Ｓ＞Ｕ）よりも高温のとき前記フィルタ７の目詰まり以外の故障と判断する温風暖房機の制御方法である。【選択図】      図４
2005241064.tif 000002
【特許請求の範囲】
【請求項１】
燃料を燃焼させるバーナと、筐体内の温度を検知する温度センサと、筐体内にフィルタを介して外気を取り入れる送風機とを備え、吹出口から温風を導出する温風暖房機の制御方法であって、前記温度センサにより筐体内の温度を検知し、該検知温度が所定温度Ｓ以上のとき前記バーナを停止し、続いて、該バーナの停止から所定時間Ｔ経過後の筐体内の温度を再度温度センサにより検知し、該検知温度が所定温度Ｕ（Ｓ＞Ｕ）以下のとき前記フィルタが目詰まりしていると判断し、該検知温度が所定温度Ｕ（Ｓ＞Ｕ）よりも高温のとき前記フィルタの目詰まり以外の故障と判断することを特徴とする温風暖房機の制御方法。
【請求項２】
燃料を燃焼させるバーナと、筐体内の温度を検知する温度センサと、筐体内にフィルタを介して外気を取り入れる送風機と、運転状態等の表示を行う表示部とを備え、吹出口から温風を導出する温風暖房機の制御方法であって、前記温度センサにより筐体内の温度を検知し、該検知温度が所定温度Ｓ以上のとき前記バーナを停止し、続いて、前記バーナの停止から所定時間Ｔ経過後の筐体内の温度を再度温度センサにより検知し、該検知温度が所定温度Ｕ（Ｓ＞Ｕ）以下のとき前記表示部に前記筐体内が過熱異常となった原因が前記フィルタの目詰まりであることが確知できる表示をすることを特徴とする温風暖房機の制御方法。
【請求項３】
請求項２記載の温風暖房機の制御方法において、前記バーナの停止から所定時間Ｔ経過後の筐体内の温度を再度温度センサにより検知した後、該検知温度が所定温度Ｕ（Ｓ＞Ｕ）よりも高温のとき前記表示部に前記筐体内が過熱異常となった原因が前記フィルタの目詰まり以外の故障であることが確知できる表示をすることを特徴とする温風暖房機の制御方法。
【請求項４】
燃料を燃焼させるバーナと、筐体内の温度を検知する温度センサと、筐体内にフィルタを介して外気を取り入れる送風機と、運転状態等の表示を行う表示部とを備え、吹出口から温風を導出する温風暖房機の制御方法であって、前記温度センサにより筐体内の温度を検知し、該検知温度が所定温度Ｓ以上のとき前記バーナを停止するとともに、前記表示部に筐体内が過熱異常であることが確知できる表示をし、続いて、前記バーナの停止から所定時間Ｔ経過後の筐体内の温度を再度温度センサにより検知し、該検知温度が所定温度Ｕ（Ｓ＞Ｕ）以下のとき前記表示部に前記筐体内が過熱異常となった原因が前記フィルタの目詰まりであることが確知できる表示をすることを特徴とする温風暖房機の制御方法。
【請求項５】
請求項４記載の温風暖房機の制御方法において、前記バーナの停止から所定時間Ｔ経過後の筐体内の温度を再度温度センサにより検知した後、該検知温度が所定温度Ｕよりも高温のとき前記表示部に前記筐体内が過熱異常となった原因が前記フィルタの目詰まり以外の故障であることが確知できる表示をすることを特徴とする温風暖房機の制御方法。
【請求項６】
請求項１〜５いずれか１項に記載の温風暖房機の制御方法において、前記バーナを停止してから所定時間Ｔ経過後、前記温度センサにより筐体内の温度を再度検知した後、前記送風機を停止制御することを特徴とする温風暖房機の制御方法。
【発明の詳細な説明】
【技術分野】
【０００１】
本発明は、ファンヒーター等の温風暖房機の制御方法に関するものである。
【背景技術】
【０００２】
従来から提案されているファンヒーター等の温風暖房機は、筐体内に燃料を燃焼させるバーナと、燃焼より生じる排ガス（温風）を筐体外に圧送する送風機とが設けられている。
【０００３】
ところで、送風機により外気を取り込む筐体に設けられた吸気開口部には埃等を捕集するフィルタが設けられている。
【０００４】
従って、フィルタに埃等が多量に付着して目詰まりを起こすと筐体内に取り込まれる外気の量が不足（排ガス（温風）の吹出しが不良）となり、筐体内の温度が異常な高温状態（過熱異常）となってしまう。
【０００５】
この筐体内が過熱異常の状態のまま運転を続けると、筐体内温度の異常上昇により基板等の内装部品が損傷を受けたり、筐体自体が過熱してしまう恐れがある。
【０００６】
そこで、従来においても特開２００１−３３０２４６に開示される温風暖房装置（以下、従来例）が提案されている。
【０００７】
この従来例は、筐体内に温度を検知する温度センサを設け、この温度センサにより筐体内を所定の温度以上（過熱異常）と検知した場合、表示部でこの過熱異常を表示するとともに、バーナの燃焼量と風量を同期して低下させるか、若しくは、送風機の回転力を増加させることで筐体内部を冷却するように制御されている。従って、ユーザーはこの表示部の表示に従い、フィルタの掃除を行うか、或いは、フィルタを交換するかなどの処置を施すことになる。
【特許文献１】特開２００１−３３０２４６公報
【発明の開示】
【発明が解決しようとする課題】
【０００８】
ところが、従来例には次の問題点がある。
【０００９】
即ち、実際、筐体内の過熱異常が生じる原因としては、フィルタの目詰まりだけでなく、バーナだけが作動していて送風機が停止している状態（送風機が故障した状態）となる場合もあるなど、温度センサが筐体内を過熱異常と検知する原因は種々あるが、従来例は、これらの原因はともかく、表示部には過熱異常と表示されるだけである為、ユーザーが対処できるレベル（フィルタの掃除をすれば良いレベル）のものか、メーカーに修理に出さないといけないレベルのものかを正確に判断することができないのが現状である。
【００１０】
本発明は上記課題を解決するためのもので、筐体内の過熱異常の原因が、フィルタの目詰まりが原因であるか、フィルタの目詰まり以外の故障（例えば電気部品の故障）が原因であるかを判断することのできる温風暖房機の制御方法を提供することを目的とする。
【課題を解決するための手段】
【００１１】
添付図面を参照して本発明の要旨を説明する。
【００１２】
燃料を燃焼させるバーナ３と、筐体１内の温度を検知する温度センサ１０と、筐体１内にフィルタ７を介して外気を取り入れる送風機２とを備え、吹出口５から温風を導出する温風暖房機の制御方法であって、前記温度センサ１０により筐体１内の温度を検知し、該検知温度が所定温度Ｓ以上のとき前記バーナ３を停止し、続いて、該バーナ３の停止から所定時間Ｔ経過後の筐体１内の温度を再度温度センサ１０により検知し、該検知温度が所定温度Ｕ（Ｓ＞Ｕ）以下のとき前記フィルタ７が目詰まりしていると判断し、該検知温度が所定温度Ｕ（Ｓ＞Ｕ）よりも高温のとき前記フィルタ７の目詰まり以外の故障と判断することを特徴とする温風暖房機の制御方法に係るものである。
【００１３】
また、燃料を燃焼させるバーナ３と、筐体１内の温度を検知する温度センサ１０と、筐体１内にフィルタ７を介して外気を取り入れる送風機２と、運転状態等の表示を行う表示部２６とを備え、吹出口５から温風を導出する温風暖房機の制御方法であって、前記温度センサ１０により筐体１内の温度を検知し、該検知温度が所定温度Ｓ以上のとき前記バーナ３を停止し、続いて、前記バーナ３の停止から所定時間Ｔ経過後の筐体１内の温度を再度温度センサ１０により検知し、該検知温度が所定温度Ｕ（Ｓ＞Ｕ）以下のとき前記表示部２６に前記筐体１内が過熱異常となった原因が前記フィルタ７の目詰まりであることが確知できる表示をすることを特徴とする温風暖房機の制御方法に係るものである。
【００１４】
また、請求項２記載の温風暖房機の制御方法において、前記バーナ３の停止から所定時間Ｔ経過後の筐体１内の温度を再度温度センサ１０により検知した後、該検知温度が所定温度Ｕ（Ｓ＞Ｕ）よりも高温のとき前記表示部２６に前記筐体１内が過熱異常となった原因が前記フィルタ７の目詰まり以外の故障であることが確知できる表示をすることを特徴とする温風暖房機の制御方法に係るものである。
【００１５】
また、燃料を燃焼させるバーナ３と、筐体１内の温度を検知する温度センサ１０と、筐体１内にフィルタ７を介して外気を取り入れる送風機２と、運転状態等の表示を行う表示部２６とを備え、吹出口５から温風を導出する温風暖房機の制御方法であって、前記温度センサ１０により筐体１内の温度を検知し、該検知温度が所定温度Ｓ以上のとき前記バーナ３を停止するとともに、前記表示部２６に筐体１内が過熱異常であることが確知できる表示をし、続いて、前記バーナ３の停止から所定時間Ｔ経過後の筐体１内の温度を再度温度センサ１０により検知し、該検知温度が所定温度Ｕ（Ｓ＞Ｕ）以下のとき前記表示部２６に前記筐体１内が過熱異常となった原因が前記フィルタ７の目詰まりであることが確知できる表示をすることを特徴とする温風暖房機の制御方法に係るものである。
【００１６】
また、請求項４記載の温風暖房機の制御方法において、前記バーナ３の停止から所定時間Ｔ経過後の筐体１内の温度を再度温度センサ１０により検知した後、該検知温度が所定温度Ｕよりも高温のとき前記表示部２６に前記筐体１内が過熱異常となった原因が前記フィルタ７の目詰まり以外の故障であることが確知できる表示をすることを特徴とする温風暖房機の制御方法に係るものである。
【００１７】
また、請求項１〜５いずれか１項に記載の温風暖房機の制御方法において、前記バーナ３を停止してから所定時間Ｔ経過後、前記温度センサ１０により筐体１内の温度を再度検知した後、前記送風機２を停止制御することを特徴とする温風暖房機の制御方法に係るものである。
【発明の効果】
【００１８】
本発明は上述のように構成したから、筐体内の過熱異常の原因が、フィルタの目詰まりが原因であるか、或いは、フィルタの目詰まり以外の故障が原因であるかを確実に判断することができることになるなど画期的な温風暖房機の制御方法となる。
【発明を実施するための最良の形態】
【００１９】
好適と考える本発明の最良の形態を、本発明の作用効果を示して簡単に説明する。
【００２０】
本発明は、温度センサ１０により筐体１内の温度を検知し、該検知温度が所定温度Ｓ（フィルタ７の目詰まりはなく送風機２が正常に作動していたら達しないであろう温度）以上のとき前記バーナ３を停止し、続いて、該バーナ３の停止から所定時間Ｔ経過後の筐体１内の温度を再度温度センサ１０により検知し、該検知温度が所定温度Ｕ（フィルタ７に多少の目詰まりがあっても送風機２が所定時間Ｔ作動していた場合に冷却されるであろう温度：Ｓ＞Ｕ）以下のとき前記フィルタ７が目詰まりしていると判断し、該検知温度が所定温度Ｕ（Ｓ＞Ｕ）よりも高温のとき前記フィルタ７の目詰まり以外の故障と判断するものである。
【００２１】
即ち、バーナ３の停止から所定時間Ｔ経過後の筐体１内の温度を再度温度センサ１０により検知した際、該検知温度が所定温度Ｕ（Ｓ＞Ｕ）以下に下がっていれば、それまで送風機２による冷却が行われていたことになるから、送風機２が停止してはおらず、よって、筐体１が所定温度Ｓ以上となったのはフィルタ７の目詰まりが原因であると判断される。
【００２２】
一方、バーナ３の停止から所定時間Ｔ経過後の筐体１内の温度を再度温度センサ１０により検知した際、該検知温度が所定温度Ｕ（Ｓ＞Ｕ）よりも高温であれば、それまで送風機２による冷却は行われていなかったことになるから、筐体１が所定温度Ｓ以上となったのはフィルタ７の目詰まり以外の故障（例えば送風機２の故障）が原因であると判断される。
【００２３】
従って、筐体１内の過熱異常の原因が、フィルタ７の目詰まりが原因であるか、フィルタ７の目詰まり以外の故障（例えば送風機２の故障）が原因であるかを判断することができる。
【００２４】
この結果を例えば筐体１の一部に表示することで、ユーザーは筐体１内の過熱異常の原因が自分で対処できるもの、即ち、フィルタ７を掃除するだけで良いか、メーカーで対処するもの、即ち、送風機２の修理・交換かを正確に判断することができることになる。
【実施例】
【００２５】
本発明の具体的な実施例について図面に基づいて説明する。
【００２６】
本実施例は、温風暖房機の制御方法である。
【００２７】
この温風暖房機は、図１に図示したように筐体１内に外気を取り込んで圧送する送風機２と、燃料を燃焼させて燃焼排ガスを発生させるバーナ３と、該バーナ３上に設けられた燃焼室４とを具備する構造であり、バーナ３の燃焼で発生する燃焼排ガスと送風機２によって筐体１内に取り込まれた空気とを混合して該筐体１の正面部下方位置に設けた吹出口５より温風として排出するように構成されている。
【００２８】
また、筐体１の背面部には吸気開口部１ａが設けられており、この吸気開口部１ａから前述した送風機２により外気を取り入れるように構成されており、この吸気開口部１ａには埃等を捕集するフィルタ７が着脱自在に設けられている。
【００２９】
また、筐体１の表面上方位置には操作パネル６が設けられており、この操作パネル６には、温風暖房機の運転・停止および温度設定等の操作を行う複数のスイッチを有する操作部２５と、運転状態や異常の表示を行う表示部２６が設けられている（図３参照）。
【００３０】
バーナ３は、図１，２に図示したように後述する気化器１４により気化された燃焼用ガスと一次空気を混合し燃焼用混合ガスとする混合管１７と、燃焼用混合ガスに点火する点火装置１８と、燃焼用混合ガスを燃焼させる炎孔部１９とから構成されている。
【００３１】
従って、炎孔部１９から噴出される燃焼用混合ガスは点火装置１８で点火されて燃焼する（バーナ３には火炎Ｆが形成される）ことになる。
【００３２】
気化器１４は、図２に図示したように内蔵された気化用ヒータ１５により液体燃料を加熱して燃焼用ガスとし、この燃焼用ガスを気化器１４の先端に設けられたノズル１６よりバーナ３（混合管１７）へ噴出されるように構成され、この気化器１４で気化される液体燃料は、下部に設けた油受皿１２から電磁ポンプ１３で汲み上げられて当該気化器１４へ供給されるように構成されている。
【００３３】
燃焼室４は、図１に図示したようにバーナ３の火炎Ｆを覆い燃焼排ガスを上方排出部８ａから排出するケース状の燃焼室本体８と、この燃焼室本体８の周囲を覆うように設けられた燃焼室遮熱板９とからなり、この燃焼室本体８と燃焼室遮熱板９の間は燃焼排ガスと送風機２からの空気とを混合して温風とする温風通路１１として構成されている。
【００３４】
また、燃焼室遮熱板９には温度センサ１０が設けられており、この温度センサ１０は筐体１内の温度を検知するものである。
【００３５】
具体的には、温度センサ１０は、雰囲気の温度によって接点がＯＮ／ＯＦＦするバイメタルにより構成されていて、バーナ３の通常燃焼中はＯＮ状態となっているが、筐体１内の温度が所定温度Ｓ以上であることを検知するとＯＮ状態からＯＦＦ状態に切り替わり、その後、筐体１内の温度が所定温度Ｓよりも低い所定温度Ｕ以下であるとＯＦＦ状態からＯＮ状態に切り替わる。そして、この温度センサ１０のＯＮ状態若しくはＯＦＦ状態を後述する過熱検知手段２２で検知し、温度センサ１０がＯＦＦ状態となると筐体１内が過熱異常であると検知されて後述する運転制御手段２１へ信号を送るように構成されている（図３参照）。
【００３６】
尚、本実施例では、温度センサ１０をバイメタル式の温度検知素子として説明したが、その他のサーミスタ等の温度センサを用いる構成としても良い。また、温度センサ１０のＯＮ／ＯＦＦをマイコン２０の過熱検知手段２２で検知する構成としたが、この過熱検知手段２２はマイコン２０外部に機械的手段で構成することも可能である。
【００３７】
ここで、本明細書で言う、所定温度Ｓとは、フィルタ７の目詰まりはなく送風機２が正常に作動していたら達しないであろう温度（筐体１内の温度が異常と判断される温度）であり、所定温度Ｕとは、フィルタ７に多少の目詰まりがあっても送風機２が所定時間Ｔ作動していた場合に冷却されるであろう温度（Ｓ＞Ｕ）である。
【００３８】
図３は本実施例に係る温風暖房機の動作を制御するマイコン２０の構成図であり、運転制御手段２１、過熱検知手段２２、計時手段２３、表示駆動手段２４を有している。
【００３９】
運転制御手段２１は、操作パネル６に設けた操作部２５の操作、室温センサ２７、温度センサ１０からの信号により温風暖房機の運転・停止や燃焼量を決定して、気化器１４の電磁ポンプ１３及び気化用ヒータ１５、送風機２を駆動するモータ２８の動作を制御し得るように構成されている。
【００４０】
また、運転制御手段２１は、筐体１内の温度が所定温度Ｓ以上となり過熱検知手段２２が温度センサ１０のＯＦＦ状態を検知することで筐体１内の過熱異常を検知した際、バーナ３の燃焼を停止すべく気化器１４に係る電磁ポンプ１３及び気化用ヒータ１５への通電を停止するとともに、モータ２８に対してはそのまま通電を継続して送風機２を駆動させるように構成されている。
【００４１】
従って、バーナ３を停止した状態で送風機２により外気を取り入れることで、筐体１内の冷却が行われることになる。この送風機２による筐体１内の冷却は、少なくとも後述する筐体１内の過熱異常の判別に要する所定時間Ｔの間は行われるように設定されており、この過熱異常の判別をした後は運転制御手段２１によりモータ２８が停止するように構成されている。
【００４２】
これは無駄に送風機２（モータ２８）が作動するのを防止することで消費電力を低減させることに貢献し、また、万一、筐体１内の過熱異常の原因の一つである送風機２の停止がモータ２８のロックによるものであった場合、この状態でモータ２８の駆動を続けると該モータ２８が故障してしまうが、運転制御手段２１によりモータ２８が停止するように制御することでこれを阻止することに貢献する。
【００４３】
計時手段２３は、筐体１内の温度が所定温度Ｓ以上となり過熱検知手段２２が温度センサ１０のＯＦＦ状態を検知することで過熱異常を検知し、運転制御手段２１の指示によりバーナ３の燃焼が停止すると計時を開始し、この計時手段２３が所定時間Ｔを計測した後、再び過熱検知手段２２により温度センサ１０のＯＮ状態・ＯＦＦ状態が検知されるように構成されている。
【００４４】
この計時手段２３が所定時間Ｔを計測したときの過熱検知手段２２の検知結果により、過熱異常の原因がフィルタ７の目詰まりが原因であるか、或いは、フィルタ７の目詰まり以外の故障（モータ２８の断線やロック等の電気部品の故障）が原因であるかが判断される。
【００４５】
即ち、筐体１内の過熱異常の原因がフィルタ７の目詰まりが原因であるのなら、バーナ３の燃焼を停止し且つ送風機２で外部から冷却用の空気を導入することで筐体１内の温度は低下するはずである。よって、所定時間Ｔ経過後の温度センサ１０は筐体１内の検知温度が所定温度Ｕ（Ｓ＞Ｕ）以下と検知するとＯＮ状態となり、過熱検知手段２２は過熱異常を検知しない。
【００４６】
一方、筐体１内の過熱異常の原因がフィルタ７の目詰まりではなく、フィルタ７の目詰まり以外の故障が原因であるとき、例えばモータ２８の断線やロック等によって送風機２が駆動されない場合には冷却用の空気が導入されないことになるため、筐体１内の温度はそれ程低下しないので、所定時間Ｔ経過しても温度センサ１０は筐体１内の温度を所定温度Ｕ（Ｓ＞Ｕ）よりも高温であると検知してＯＦＦ状態のままとなり、よって、過熱検知手段２２によって過熱異常が検知される。
【００４７】
従って、この計時手段２３による所定時間Ｔ経過後の過熱検知手段２２の検知結果により、過熱異常の原因がフィルタ７の目詰まりが原因であるか、或いは、フィルタ７の目詰まり以外の故障（モータ２８の断線やロック等の電気部品の故障）が原因であるかが判断される。
【００４８】
ここで、本明細書で言う、この筐体１内の過熱異常の判別時における送風機２で冷却する所定時間Ｔとは、送風機２が正常に作動した場合に、温度センサ１０が筐体１内を過熱異常でないと検知する所定温度Ｕ（Ｓ＞Ｕ）以下となるまでに冷却に要する時間であり、且つ、送風機２が故障により作動していない場合に、温度センサ１０が筐体１内を過熱異常であると判断する温度（所定温度Ｕ（Ｓ＞Ｕ）よりも高温）が維持される時間である。
【００４９】
本実施例は、フィルタ７の目詰まりか、送風機２の故障かを判断するものであるが、例えば、バイメタル式の温度センサ１０が故障した場合、即ち、例えば実際に筐体１内の温度が上昇していないにもかかわらず、温度センサ１０が筐体１内を過熱異常と検知した場合も、バイメタルの接点が常時ＯＦＦ状態となるので、この場合も過熱検知手段２２は過熱異常を検知することになり、少なくとも筐体１内の過熱異常の原因がフィルタ７の目詰まりではなく、フィルタ７の目詰まり以外の故障が原因であることが判断されることになるため有用性を発揮する。しかし、実際に過熱異常が生じているにもかかわらず、温度センサ１０の故障でバイメタルの接点が常時ＯＮとなり過熱異常が検知できない場合には有用性を発揮しない。
【００５０】
しかしながら、温度センサ１０がバイメタル式ではなく、サーミスタ等を用いて構成されている場合は、過熱異常が発生しているにもかかわらず温度センサ１０の故障により過熱異常が検知されないような場合であっても、温度センサ１０が検出する筐体１の温度が燃焼中であるのに低すぎる、若しくは温度が検出されないようなときは、温度センサ１０が故障していると判断される。
【００５１】
表示駆動手段２４は、通常の運転中は設定温度や室内温度といった運転状態を表示部２６に表示させているが、筐体１内が過熱異常となり温風暖房機の運転が停止した際（過熱異常の原因を判別している際）は、運転の停止の原因を表示部２６に表示し、異常内容を使用者に報知するようになっている。この異常内容としては、フィルタ７の目詰まりが確知できる表示（文字や絵など）と、フィルタ７の目詰まり以外の故障であることが確知できる表示（文字や絵など）とに分けられている。
【００５２】
以上の構成から成る温風暖房機の動作を説明する。
【００５３】
まず、操作部２５の運転スイッチが押されると運転開始となり、運転制御手段２１は気化器１４の気化用ヒータ１５へ通電を行い気化器１４の予熱を開始する。
【００５４】
そして、気化器１４が液体燃料を気化することのできる温度になると電磁ポンプ１３に通電を行い、電磁ポンプ１３は油受皿１２から液体燃料を汲み上げて気化器１４へ供給する。また、同時にモータ２８も通電を行い、送風機２が駆動される。
【００５５】
気化器１４では液体燃料が加熱気化されて燃焼用ガスとなり、ノズル１６より混合管１７に噴出される。燃焼用ガスが噴出されると、その噴出力により周囲の空気が一次空気として混合管１７内に引き込まれ、また、送風機２の作動により筐体１内に導入された空気も筐体１下方から混合管１７に一次空気として押し込まれ、これら一次空気は前述の燃焼用ガスと混合して燃焼用混合ガスとなる。そして、この燃焼用混合ガスは炎孔部１９から噴出して点火装置１８により点火されバーナ３で燃焼を開始する。更に、送風機２からの空気は、燃焼室本体８の背面開口部８ｂから該燃焼室本体８内にも流入し、二次空気として火炎Ｆの外縁近傍位置に供給されるようになっていて、十分な量の二次空気を火炎Ｆに供給することで、良好な燃焼状態が維持される。
【００５６】
このように燃焼が行われると、バーナ３で発生した燃焼排ガスは燃焼室本体８の上方排出部８ａより排出され、温風通路１１を通過する間に送風機２からの空気と混合されて温風となり、吹出口５より筐体１外へ排出される。
【００５７】
この温風暖房機における通常の運転中（バーナ３の燃焼中）、温度センサ１０は筐体１内の温度を監視しており、筐体１内の温度が所定温度Ｓ以上になると温度センサ１０がＯＦＦ状態となり過熱検知手段２２が過熱異常と検知すると、筐体１内の過熱異常の原因の判別が開始される。
【００５８】
ここで、筐体１内の過熱異常の原因の判別動作を図４のフローチャートを用いて説明する。
【００５９】
温度センサ１０により筐体１内の温度が所定温度Ｓ以上になったことが検知されると（ステップ１）、過熱検知手段２２は過熱異常が発生したと検知して（ステップ２）、運転制御手段２１へバーナ３の燃焼を停止させるよう信号を送る。
【００６０】
続いて、この信号を受けて運転制御手段２１は気化器１４に係る電磁ポンプ１３や気化用ヒータ１５への通電を停止してバーナ３の燃焼を停止させる（ステップ３）。
【００６１】
続いて、送風機２のモータ２８のみ継続通電して送風機２を駆動させることで外部から空気を導入し続けて筐体１の冷却を行い（ステップ４）、この際、表示駆動手段２４へ信号を送り表示部２６に筐体１内に過熱異常が発生したことを使用者に報知する表示をさせる（ステップ５）。
【００６２】
このバーナ３での燃焼を停止すると同時に計時手段２３では計時を開始しており、所定時間Ｔ経過後、再び温度センサ１０がどのように筐体１内の温度を検知しているかを過熱検知手段２２で検知する（ステップ６）。
【００６３】
このステップ６の際、所定時間Ｔ経過後に筐体１の温度が低下して温度センサ１０がＯＮ状態となり、過熱検知手段２２が過熱異常を検知していない場合、フィルタ７の目詰まりにより過熱異常が発生したと判断され、表示部２６には、筐体１内の過熱異常の原因がフィルタ７の目詰まりであったと表示される（ステップ７）。
【００６４】
この場合、送風機２を更に所定時間Ｔ１駆動しつづけて筐体１を十分に冷却した後、運転停止となる（ステップ８）。
【００６５】
その後、使用者はこの表示に従い、フィルタ７に付着した埃を除去すればよく、埃の除去後、再度運転指示を与えることで暖房を開始することができる。
【００６６】
一方、ステップ６の際、所定時間Ｔ経過後に筐体１の温度が低下せず、温度センサ１０がＯＦＦ状態のままで過熱検知手段２２が過熱異常を検知する場合は、フィルタ７の目詰まり以外の故障が原因により過熱異常が発生したと判断される。
【００６７】
この場合、直ちにモータ２８の通電を停止するとともに（ステップ７'）、表示部２６の表示は電気部品の故障（フィルタ７の目詰まり以外の故障）により運転が停止したことを報知する内容に変更される（ステップ８'）。
【００６８】
その後、使用者はこの表示に従い、自分では対処できないと判断し、メーカーに修理の依頼をすることができる。
【００６９】
本実施例は上述のように構成したから、筐体１内の過熱異常の原因が、フィルタ７の目詰まりが原因であるか、或いは、フィルタ７の目詰まり以外の故障が原因であるかを確実に判断することができることになり、そして、この原因が表示部２６で表示されることになるから、使用者はこの表示に従い自分で対処したり、修理を依頼すればよい。
【００７０】
また、本実施例は、過熱異常の原因の判別に際し、バーナ３を停止してから所定時間Ｔ経過後、温度センサ１０により筐体１内の温度を検知し、その後、前記送風機２を停止制御することで、電気部品に異常があるときは、モータ２８の通電が継続することで危惧される電力の無駄を抑えることができ、また、ロックしたモータ２８の駆動を続けることでモータ２８の故障を引き起こしてしまうこともなくなる。
【００７１】
尚、本発明は、本実施例に限られるものではなく、各構成要件の具体的構成は適宜設計し得るものである。
【図面の簡単な説明】
【００７２】
【図１】本実施例に係る温風暖房機の断面図である。
【図２】本実施例に係る温風暖房機のバーナ部分の詳細図である。
【図３】本実施例に係る制御装置（マイコン20）の構成図である。
【図４】本実施例に係る温風暖房機の制御を示すフローチャートである。
【符号の説明】
【００７３】
Ｓ    所定温度
Ｕ    所定温度
Ｔ    所定時間
１    筐体
２    送風機
３    バーナ
５    吹出口
７    フィルタ
１０  温度センサ
２６  表示部
【図１】
2005241064.tif 000003
【図２】
2005241064.tif 000004
【図３】
2005241064.tif 000005
【図４】
2005241064.tif 000006